(57)【要約】      （修正有）【課題】手の届かない狭い場所等で、ボルトとナットとを締め付けるのが難しく、多くの時間を必要としていた。指先が届かないような狭い場所であってもボルトとナットを簡単に締め付けることができ、従来２人で行う必要があった大きな壁の中央にボルトとナットを締め付ける作業も一人で行うことを可能とする仮止め部材を提供する。【解決手段】ボルトまたはナットを回転できないよう収納する凹部６と、ボルトまたはナットが締め付けられる位置とほぼ同位置に設定する柄２とが磁石で構成され、磁性体で構成されている基板に仮固定する。【選択図】図１
2006205349.tif 000002
【特許請求の範囲】
【請求項１】
ボルト又はナットが回転をすることができない状態で抑える凹部材と、この凹部材をボルト又はナットが実際に取り付けられる位置とほぼ同一の位置に保持する柄とが、磁性体に吸着する磁石で構成されていることを特徴とするボルト又はナットの仮止め部材。
【発明の詳細な説明】
【技術分野】
【０００１】  この発明は、機械等を組み立てるときに使用するボルト又はナットの仮止め部材に関する。
【背景技術】
【０００２】  機械等を組み立てるときに、ボルトとナットとは多く使われる部品である。普通ナットにボルトに締め付けるには、ナットを指先で持ってボルトの先端まで運び、ナットの穴をボルト先端部の中心に位置合わせをし、ボルトの雄ネジにナットの雌ネジを螺合させる。この後指先で可能な限り回転をし、指先で回転をすることができなくなったら、ボルト又はナットのいずれかを固定し、他方をスパナで締め付ける。しかし、いつでもこのような方法でナットをボルトに締め付けることはできない。例えば、指先が入らないような狭い場所では、この方法では不可能となる。また、大きな壁の中央部にボルトとナットを使用する必要がある場合にも、一人ではボルトを固定し、ナットで締めることはできない。
【発明の開示】
【発明が解決しようとする課題】
【０００３】
【０００４】  指先が入らないような狭い場所でナットとボルトとを螺合させるには、針金等でナットを巻きつけ、このナットが取り付けられる場所にセットし、ボルトを回転させていた。しかしこの方法はナットを設置場所にセットすることが難しく、非常に能率が悪かった。【０００５】  また、大きな壁の中央にボルトとナットを使用する必要がある場合、ボルトを固定してナットを回転させるには二人でなければ行うことができない。
【課題を解決するための手段】
【０００６】  本発明は、前記課題を解決するためになされたものであって、指先が入らないような狭い場所でボルトとナットを使用する場合でも簡単に行えるようにし、二人で行わなければならなかったボルトとナットの締め付け作業も一人で行えるようにすることを目的としている。【０００７】  前記目的のために、本発明はボルト又はナットが回転をすることができない状態で抑える凹部材と、この凹部材をボルト又はナットが実際に締め付けられる位置とほぼ同位置に保持する柄とが、磁性体を吸着する磁石により構成されていることとしている。
【発明の効果】
【０００８】  指先が届かないような狭い場所であってもボルトとナット簡単な締め付けることができ、従来２人で行う必要があった大きな壁の中央にボルトとナットを締め付ける作業も一人で行うことが可能となる。
【発明を実施するための最良の形態】
【０００９】  以下、本発明を実施するための最良の形態について図面を使用し詳細に説明をする。
図１には本発明の一実施例であるボルト又はナットの仮固定部材（以下仮固定部材と略す）１の正面が、図２には側面の断面が描かれている。この仮固定部材１の先端中央には六角形のナットを収納する１２角形の凹部６が設けられている。図２に示されているように、１２角形の凹部６の上端には、収納したナットが抜けることができないように鍔４が取り付けられている。１２角形の凹部６の下端周辺には、座金を収納する窪み５が設けられている。ナットを収納する１２角形の凹部６の中央にはボルトのネジが仮固定部材１を貫通する穴３が設けられている。ここで重要なことは、仮固定部材１全体が、磁性体を吸着する磁石により構成されていることである。【００１０】  次にこの仮固定部材１をどのように使用するかについて説明をする。図３には、１２角形の凹部６にはナット７が収納され、窪み５には座金８が収められている断面が描かれている。ナット７を凹部６に収納するには、ナット７を指先で持ち、凹部６に差し込めばよい。凹部６の上端にはナット７の抜けるのを防止するための鍔４が設けられており、図３に示される位置に、ナット７は納まる。ナット７を凹部６に収めた後に、座金８を窪み５に収める。仮固定部材１が磁石で構成されているから、一旦１２角形の凹部６に収納されたナット７及び窪み５に収めた座金８は、これらが鉄等の磁性体であれば、図３に示されているように、ナット７及び座金８が下向きとなっても落下することはない。【００１１】  図４は鉄板１２と鉄板１０との間１５にナット７を取り付ける場合が示されている。鉄板１２と鉄板１０との間１５は狭く、ナット７を取り付ける位置までは指先が届かない。そこで図３に示されているようにナット７と座金８を装填した仮固定部材１を、鉄板１２と鉄板１０との間に挿入し、ナット７が実際に取り付けられる位置とほぼ同一の位置となるように仮固定部材１の位置を調整する。この位置が定まった後に仮固定部材１から手を離しても、鉄板１０は磁性体であり、仮固定部材１が磁石で構成されているから、この位置にナット７は仮固定される。【００１２】  次に鉄板１０に取り付ける部材１３のボルトが貫通する穴１７と、鉄板１０の穴１６とを合わせる。この後にボルト２０を持ち、この先端を穴１７と穴１６とを貫通させる。ボルト２０の先端がナット７に接触したら、あまり押すことなくボルト２０を回転させる。ナット７は仮固定部材１により回転することなく仮固定されているから、ボルト２０を回転させれば、ボルト２０の雄ネジとナット７の雌ネジは螺合する。ボルト２０を指先で可能な限り回転させた後に、スパナで締め付ける。スパナで締め付けを終わった時が図５に示されている。ナット７を固定してはいないが、スパナで完全に締めても仮固定部材１は磁石の吸引力により動くことはない。この後仮固定部材１を鉄板１０から外せば締め付け作業が完了となる。【００１３】  以上の実施例は、手が届かないような狭い場所でナットをセットするときについて記載したが、大きな壁の中央にボルト及びナットを使用する場合、最初にナットと座金を仮固定部材１に装填し、壁の向こう側にナットが取り付けられる位置とほぼ同位置に仮固定部材１を動かしてセットする。この後、壁のこちら側で���ルトを締めることとすれば、一人でボルトとナットの締め付け作業を行うことができる。【００１４】  前記実施例による仮固定部材１は、決まったサイズ、例えば１０ｍｍのナットだけを仮固定することしかできない。これを発展させて図６に示されるように柄の両端の上下でサイズの異なるナットを抑えることとすれば、４種類の異なるサイズのナットを一つの仮固定部材２６で仮固定することができる。【００１５】  図７に示されているような円形の仮固定部材２７とすれば、八つのサイズの異なるナットを仮固定することが可能となる。【００１６】  前記実施例では、ナットを仮固定することについて説明をしたが、ボルトを仮固定することもできるのは当然のことである。【００１７】  座金の他に、スプリングワッシャを装填する必要がある場合には、座金が装填される窪み５を深くすれば、これに対応することが可能である。また図面ではナット７を収納する凹部を１２角形としているが、６角形としてもよい。【００１８】  以上記載した実施例ではボルトとナットとを締め付ける場合について説明をしたが、締め付けられているボルトとナットを緩める場合にも、この仮固定部材１を使用すれば、スパナのみで緩めた場合に、ボルトとナットが同時に回ってしまうことを防ぐことができ、緩め終わった時にナットが落ちて紛失するのを防止することができる。
【産業上の利用可能性】
【図面の簡単な説明】
【００１９】
【図１】・・仮固定部材の正面図
【図２】・・仮固定部材の側面の断面図
【図３】・・ナットと座金を装填した仮固定部材の側面の断面図
【図４】・・狭い空間に仮固定部材をセットしたときの断面図
【図５】・・狭い空間でボルトを締め付けた時の断面図
【図６】・・大きさの異なる４つのナットを抑える仮固定部材
【図７】・・８つのサイズの異なるナットを抑える仮固定部材
【符号の説明】
１・・仮固定部材
２・・柄
３・・穴
４・・鍔
５・・窪み
６・・六角形の凹部
７・・ナット
８・・座金
２０・・ボルト
【図１】
2006205349.tif 000003
【図２】
2006205349.tif 000004
【図３】
2006205349.tif 000005
【図４】
2006205349.tif 000006
【図５】
2006205349.tif 000007
【図６】
2006205349.tif 000008
【図７】
2006205349.tif 000009